(57)【要約】【課題】従来の施工方法と比較してもコスト安で、作業時間の短縮化を図ることができる螺旋状支持具を使用したケーブル等の吊架施工方法及びこれに使用する固定金具を提供する。【解決手段】電柱間に張設したメッセンジャーワイヤに螺旋状支持具を使用してケーブルを吊下げるための施工方法において使用する固定金具であって、該固定金具８ｄは、Ｕ字状の挟持板８３と、該挟持板８３の両端部に穿孔されたボルト貫通孔と、該ボルト貫通孔の一方側から挿入されるボルト１５と、該ボルト１５に前記挟持板８３の他方側から螺合するナット１６とからなり、前記挟持板８３の一方側には前記メッセンジャーワイヤを挟持する凹部８３ｂと突起８３ｃとが形成され、他方側には前記螺旋状支持具を挟持する凹部８３ｅと突起８３ｆとが形成されている。【選択図】図７
2004032835.tif 000002
【特許請求の範囲】
【請求項１】
電柱間に張設したメッセンジャーワイヤに螺旋状支持具を使用してケーブルを吊下げるための施工方法において、
一方の電柱付近でメッセンジャーワイヤに螺旋状支持具を、該螺旋状支持具の螺旋内に前記メッセンジャーワイヤが入るようにして取り付け、該メッセンジャーワイヤを固定金具内に遊通させ、前記螺旋状支持具と固定金具とを仮留めし、該固定金具とケーブル牽引用ロープとを接続し、且つ該ケーブル牽引用ロープの一方が前記螺旋状支持具の螺旋内に入るようにして、それら全てを他方の電柱側に移送する第１の工程と、
前記螺旋状支持具の他端とこれに連接する螺旋状支持具の一端とを二股状係合突起付コネクタにて連結を繰り返す第２の工程と、
１本目の螺旋状支持具と固定金具とケーブル牽引用ロープとが他方の電柱側に到達した時点でメッセンジャーワイヤと螺旋状支持具とを固定金具に固定し、既に螺旋状支持具の螺旋内に入っているケーブル牽引用ロープの後端にケーブルを連結して該ケーブルを引き込む第３の工程と、
を有することを特徴とする螺旋状支持具を使用したケーブルの吊架施工方法。
【請求項２】
電柱間に張設したメッセンジャーワイヤに螺旋状支持具を使用してケーブルを吊下げるための施工方法において、
一方の電柱付近でメッセンジャーワイヤに螺旋状支持具を、該螺旋状支持具の螺旋内に前記メッセンジャーワイヤが入るようにして取り付け、該メッセンジャーワイヤを固定金具内に遊通させ、前記螺旋状支持具と固定金具とを仮留めし、該固定金具とケーブルとを接続し、且つ該ケーブルが前記螺旋状支持具の螺旋内に入るようにして、それら全てを他方の電柱側に移送する第１の工程と、
前記螺旋状支持具の他端とこれに連接する螺旋状支持具の一端とを二股状係合突起付コネクタにて連結を繰り返す第２の工程と、
１本目の螺旋状支持具と固定金具とケーブルとが他方の電柱側に到達した時点でメッセンジャーワイヤと螺旋状支持具とを固定金具に固定する第３の工程と、を有することを特徴とする螺旋状支持具を使用したケーブルの吊架施工方法。
【請求項３】
電柱間に張設したメッセンジャーワイヤに螺旋状支持具を使用してケーブルを吊下げるための施工方法において使用する固定金具であって、
該固定金具は、前板と中間板と後板とからなる挟持板と、該挟持板の上部及び下部に穿孔されたボルト貫通孔と、該ボルト貫通孔に前記挟持板の前板側から挿入されるボルトと、該ボルトに前記挟持板の後板側から螺合するナットとからなり、前記挟持板の前板と中間板との上部側には前記メッセンジャーワイヤを遊通挟持する凹部が、後板には中間板と前記螺旋状支持具を挟持する凹部が形成されていることを特徴とする固定金具。
【請求項４】
電柱間に張設したメッセンジャーワイヤに螺旋状支持具を使用してケーブルを吊下げるための施工方法において使用する固定金具であって、
該固定金具は、Ｕ字状の挟持板と、該挟持板の両端部に穿孔されたボルト貫通孔と、該ボルト貫通孔の一方側から挿入されるボルトと、該ボルトに前記挟持板の他方側から螺合するナットとからなり、前記挟持板の一方側には前記メッセンジャーワイヤを挟持する凹部と突起とが形成され、他方側には前記螺旋状支持具を挟持する凹部と突起とが形成されていることを特徴とする固定金具。
【請求項５】
電柱間に張設したメッセンジャーワイヤに螺旋状支持具を使用してケーブルを吊下げるための施工方法において使用する固定金具であって、
該固定金具は、Ｕ字状の挟持板と、該挟持板の４箇所に穿孔されたＵ字ボルト貫通孔と、該Ｕ字ボルト貫通孔の一方側から挿入されるボルトと、該Ｕ字ボルトに前記挟持板の他方側から螺合するナットとからなり、前記メッセンジャーワイヤを遊通、挟持及び螺旋状支持具を挟持することを特徴とする固定金具。
【発明の詳細な説明】
【０００１】
【発明の属する技術分野】
本発明は、螺旋状支持具を使用して電柱間に張設したメッセンジャーワイヤに電線、ケーブル又は通信線等を吊下げるための施工方法及びこれに使用する固定金具に関するものである。
【０００２】
【従来の技術】
従来、螺旋状支持具を使用して電柱間に張設したメッセンジャーワイヤにケーブルを吊下げる施工方法としては、特許第３２０３５５６号公報に記載の方法が知られている。
【０００３】
この施工方法は、一方の電柱付近で螺旋状支持具をメッセンジャーワイヤに取付けて他方の電柱側に移送する手順と、螺旋状支持具の他端とこれに連接する螺旋状支持具の一端とをジョイントスリーブを形成した雄雌端子付きコネクタにて連結を繰り返す手順と、最先端の螺旋状支持具が他方の電柱に到達した時点で固定具を使用して螺旋状支持具をメッセンジャーワイヤに固定する手順と、引き紐通し具を使用して螺旋状支持具内にケーブルを引き込む手順とにより行われていた。
【０００４】
【発明が解決しようとする課題】
しかしながら、上記施工方法で使用されるコネクタは、雄端子コネクタと、雌端子コネクタとを結合するものであり、予め２種類のコネクタを用意しなければならず、生産コストが高くなるとともに、螺旋状支持具が方向性を持つことから施工作業の時間もかかっていた。
【０００５】
この問題点を解決したのが、本出願人の特願２００１−３８０９２７号に記載の発明である。この発明は、図１０，１１に示すように、螺旋状支持具１は両端に同一形状のコネクタ２，２を取着してなるものであり、このコネクタ２は、中心に対して対向する２箇所に突設された一対の二股状の突片３，３及びこれの内側にそれぞれ設けられた係合突起４，４と、これら突片３，３と直交する２箇所に設けられ、接続される螺旋状支持具１の係合突起４，４が係合する係合孔部５，５とから構成されている。
【０００６】
したがって、コネクタ２は１種類で済むことからコストを削減することができると共に、施工作業の時間の短縮化を図ることができるようになった。
【０００７】
そこで、上記、本出願人の発明した螺旋状支持具１を使用し、且つ上述の従来の施工方法と比較してもコスト安で、作業時間の短縮化を図ることもできる螺旋状支持具を使用したケーブル等の吊架施工方法及びこれに使用する固定金具を提供することを目的とする。
【０００８】
【課題を解決するための手段】
請求項１の発明は、電柱間に張設したメッセンジャーワイヤに螺旋状支持具を使用してケーブルを吊下げるための施工方法において、
一方の電柱付近でメッセンジャーワイヤに螺旋状支持具を、該螺旋状支持具の螺旋内に前記メッセンジャーワイヤが入るようにして取り付け、該メッセンジャーワイヤを固定金具内に遊通させ、前記螺旋状支持具と固定金具とを仮留めし、該固定金具とケーブル牽引用ロープとを接続し、且つ該ケーブル牽引用ロープの一方が前記螺旋状支持具の螺旋内に入るようにして、それら全てを他方の電柱側に移送する第１の工程と、
前記螺旋状支持具の他端とこれに連接する螺旋状支持具の一端とを二股状係合突起付コネクタにて連結を繰り返す第２の工程と、
１本目の螺旋状支持具と固定金具とケーブル牽引用ロープとが他方の電柱側に到達した時点でメッセンジャーワイヤと螺旋状支持具とを固定金具に固定し、既に螺旋状支持具の螺旋内に入っているケーブル牽引用ロープの後端にケーブルを連結して該ケーブルを引き込む第３の工程と、
を有することに特徴を有する。
【０００９】
請求項２の発明は、電柱間に張設したメッセンジャーワイヤに螺旋状支持具を使用してケーブルを吊下げるための施工方法において、
一方の電柱付近でメッセンジャーワイヤに螺旋状支持具を、該螺旋状支持具の螺旋内に前記メッセンジャーワイヤが入るようにして取り付け、該メッセンジャーワイヤを固定金具内に遊通させ、前記螺旋状支持具と固定金具とを仮留めし、該固定金具とケーブルとを接続し、且つ該ケーブルが前記螺旋状支持具の螺旋内に入るようにして、それら全てを他方の電柱側に移送する第１の工程と、
前記螺旋状支持具の他端とこれに連接する螺旋状支持具の一端とを二股状係合突起付コネクタにて連結を繰り返す第２の工程と、
１本目の螺旋状支持具と固定金具とケーブルとが他方の電柱側に到達した時点でメッセンジャーワイヤと螺旋状支持具とを固定金具に固定する第３の工程と、
を有することに特徴を有する。
【００１０】
請求項３の発明は、電柱間に張設したメッセンジャーワイヤに螺旋状支持具を使用してケーブルを吊下げるための施工方法において使用する固定金具であって、
該固定金具は、前板と中間板と後板とからなる挟持板と、該挟持板の上部及び下部に穿孔されたボルト貫通孔と、該ボルト貫通孔に前記挟持板の前板側から挿入されるボルトと、該ボルトに前記挟持板の後板側から螺合するナットとからなり、前記挟持板の前板と中間板との上部側には前記メッセンジャーワイヤを遊通挟持する凹部が、後板には中間板と前記螺旋状支持具を挟持する凹部が形成されていることに特徴を有する。
【００１１】
請求項４の発明は、電柱間に張設したメッセンジャーワイヤに螺旋状支持具を使用してケーブルを吊下げるための施工方法において使用する固定金具であって、
該固定金具は、Ｕ字状の挟持板と、該挟持板の両端部に穿孔されたボルト貫通孔と、該ボルト貫通孔の一方側から挿入されるボルトと、該ボルトに前記挟持板の他方側から螺合するナットとからなり、前記挟持板の一方側には前記メッセンジャーワイヤを挟持する凹部と突起とが形成され、他方側には前記螺旋状支持具を挟持する凹部と突起とが形成されていることに特徴を有する。
【００１２】
請求項５の発明は、電柱間に張設したメッセンジャーワイヤに螺旋状支持具を使用してケーブルを吊下げるための施工方法において使用する固定金具であって、
該固定金具は、Ｕ字状の挟持板と、該挟持板の４箇所に穿孔されたＵ字ボルト貫通孔と、該Ｕ字ボルト貫通孔の一方側から挿入されるボルトと、該Ｕ字ボルトに前記挟持板の他方側から螺合するナットとからなり、前記メッセンジャーワイヤを遊通、挟持及び螺旋状支持具を挟持することに特徴を有する。
【００１３】
【発明の実施の形態】
次に、本発明の実施形態を図面に基づいて説明する。図１〜図５は本発明に係る螺旋状支持具を使用したケーブルの吊架施工方法の手順の一例を示す説明図である。
【００１４】
先ず、図１に示すように予め、電柱６ａ，６ｂ間にはメッセンジャーワイヤ７が張設されている。そして、一方の電柱６ａ側から、メッセンジャーワイヤ７に螺旋状支持具１を巻き付け、この螺旋状支持具１の先端とメッセンジャーワイヤ７とを固定金具８によって仮止めするのである。この時、固定金具８はメッセンジャーワイヤ７上を移動することができる程度に緩く固定金具８に遊通、保持されている。
【００１５】
次に、図２に示すように、専用治具９を使用して固定金具８の両側にロープ１０ａ，１０ｂを取付け、このロープ１０ａ，１０ｂを図面上、左右に位置する電柱６ａ，６ｂに取付けられている金車１１ａ，１１ｂに通すのである。この時、図面上、左側のロープ１０ａは螺旋状支持具１の螺旋内に入る位置に取付けられるようにしている。
【００１６】
次に、図３に示すように、第１番目の螺旋状支持具１ａの後端部と第２番目の螺旋状支持具１ｂの先端部とを接続した後、右側のロープ１０ｂを右方向に引っ張り、メッセンジャーワイヤ７に沿って固定金具８を右側に移動させるのである。この時、同様にして、左側のロープ１０ａは螺旋状支持具１ｂの螺旋内に入るのである。
【００１７】
さらに、第２番目の螺旋状支持具１ｂの後端部と第３番目の螺旋状支持具の先端部とを接続して…というように、上述の作業を繰り返すことにより、電柱６ａ，６ｂ間に螺旋状支持具１を配設するのである。
【００１８】
そして、図４に示すように、１区間の電柱６ａ，６ｂに螺旋状支持具１の配設が完了した状態で、各々の電柱６ａ，６ｂ付近の螺旋状支持具１とメッセンジャーワイヤ７とを固定金具８ａ，８ｂで固定し、右側の固定金具８ｂに取付けてあるロープ１０ｂを専用治具９と共に取り外すのである。この取り外したロープ１０ｂと専用治具９とは次の電柱６ｂ，６ｃ間の螺旋状支持具１の配設に再度使用し、図示しないが６ｃ以降も再度繰り返し使用するのである。
【００１９】
最後に、図５に示すように、通信ケーブル１２を張設すべき電柱６ａ，６ｂ，６ｃ区間の全てに螺旋状支持具１を配設したところで、ケーブルクリップ１３と撚り戻し器１４とを介してロープ１０ｂと通信ケーブル１２とを接続し、ロープ１２を図面上、右側の電柱６ａから引っ張ることによって、通信ケーブル１２を螺旋状支持具１の螺旋内に通しつつ、電柱６ａ，６ｂ，６ｃ区間全体への張設が完了するのである。
【００２０】
図６は本発明に係る螺旋状支持具を使用したケーブルの吊架施工方法に使用する固定金具の断面を示す説明図である。固定金具８ｃは前板８１ａと中間板８１ｂと後板８１ｃとからなる挟持板８１と、この挟持板８１の上部及び下部に穿孔されたボルト貫通孔と、このボルト貫通孔に挟持板８１の前板８１ａ側から挿入されるボルト１５と、このボルト１５に挟持板８１の後板８１ｃ側から螺合するナット１６とからなるものである。
【００２１】
また、挟持板８１の前板８１ａと中間板８１ｂとの上部側には前記メッセンジャーワイヤ７を遊通、挟持する凹部８２ａ，８２ｂが設置されている。又、後板８１ｃの中間には螺旋状支持具１を挟持する凹部８２ｃが設置されている。
【００２２】
図６（イ）は、ロープ接続用の専用治具９を前板８１ａと中間板８１ｂとの間のボルト１５に取付けた状態を示す断面図である。前述したように、螺旋状支持具１とメッセンジャーワイヤ７とを仮留めする場合には、このように専用治具９を使用すればメッセンジャーワイヤ７を遊通させる前板８１ａと中間板８１ｂとの凹部８２ａ，８２ｂ間に隙間を形成することができるので、固定金具８ｃをメッセンジャーワイヤ７に沿って移動させることができるのである。
【００２３】
又、前板８１ａと中間板８１ｂの凹部８２ａ，８２ｂは固定金具８ｃの上側に取付けてあるので、固定金具８ｃの重心が凹部８２ａ，８２ｂより下にくることから固定金具８ｃのメッセンジャーワイヤ７上を摺動する移動によっても固定金具８ｃが回転することがないのである。
【００２４】
一方、図６（ロ）は、固定金具８ｃにメッセンジャーワイヤ７と螺旋状支持具１とを固定した状態を示す断面図である。この図に示すように専用治具９を取り外した状態で、ナット１６によってボルト１５を締付けることによって、図４で示したように各々の電柱６ａ、６ｂ、６ｃ付近の螺旋状支持具１とメッセンジャーワイヤ７とを固定金具８ｃで固定するのである。
【００２５】
図７は、固定金具の他の例を示す図であり、図７（イ）は正面図と右側面図及び左側面図である。また、図７（ロ）はメッセンジャーワイヤと螺旋状支持具とを固定した状態を示す斜視図である。
【００２６】
この固定金具８ｄは、メッセンジャーワイヤ７と螺旋状支持具１との固定のみを行う金具であり、Ｕ字形状の挟持板８３の一方の側面８３ａにメッセンジャーワイヤ７を案内し固定する溝８３ｂが形成されている。また、溝８３ｂの上部にメッセンジャーワイヤ７を固定する突起８３ｃが形成されている。
【００２７】
さらに、他方の側面８３ｄには螺旋状支持具１を案内し固定する溝８３ｅが形成されていて、この溝８３ｅの上部には同様にして螺旋状支持具１を固定する突起８３ｆが形成されている。
【００２８】
そして、挟持板８３の両端部にはボルト貫通孔が穿設されていて、このボルト貫通孔にボルト１５を貫通させ、ナット１６で締め付けることによってメッセンジャーワイヤ７と螺旋状支持具１とが固定されるのである。
【００２９】
図８は、固定金具のさらに他の例を示す分解説明図である。また、図９は、この固定金具の使用方法を示す説明図である。
【００３０】
この固定金具８ｅは、Ｕボルト１５ａ及びこれに螺合するナット１６，１６と、Ｕボルト１５ａが貫通する貫通孔８４ｃが４箇所に穿設されているＵ字状の挟持板８４とからなるものである。
【００３１】
この固定金具８ｅの使用方法は、図９（イ）に示すようにＵ字状の挟持板８４をメッセンジャーワイヤ７に掛け遊通し、螺旋状支持具１はＵボルト１５ａとＵ字状の挟持板８４の一方の板８４ａとの間に挟んで挟持板８４の他方の板８４ｂ側からナット１６を締め付けて固定するのである。この時、固定金具８ｅはメッセンジャーワイヤ７に掛けられ遊通されているだけの状態なので、メッセンジャーワイヤ７上を摺動して移動することができるのである。また、前述のケーブル牽引用ロープ又はケーブルの先端にフックを取付ければこのフックをＵボルト１５ａに引っ掛けることができるのである。
【００３２】
そして、メッセンジャーワイヤ７上の移動が終了してメッセンジャーワイヤ７と螺旋状支持具１とを強固に固定する場合には，一旦固定金具８ｅをメッセンジャーワイヤ７から取り外した後、図９（ロ）に示すようにメッセンジャーワイヤ７と螺旋状支持具１とをＵボルト１５ａとＵ字状の挟持板８４の一方の板８４ａとの間に挟んでＵ字状の挟持板８４の他方の板８４ｂ側からナット１６を締め付けて固定するのである。
【００３３】
尚、本発明の趣旨を逸脱しない範囲において、種々の実施形態をとるこができることは言うまでもない。上記実施形態では固定金具８とケーブル牽引用ロープ１０ａ，１０ｂとを接続する構成としているが、これに限定されるものではなく、ケーブル牽引用ロープ１０ａ，１０ｂを使用せずに直接固定金具８とケーブル１２とを接続する構成とすることもできるものである。
【００３４】
【発明の効果】
請求項１の発明は、電柱間に張設したメッセンジャーワイヤに螺旋状支持具を使用してケーブルを吊下げるための施工方法において、
一方の電柱付近でメッセンジャーワイヤに螺旋状支持具を、該螺旋状支持具の螺旋内に前記メッセンジャーワイヤが入るようにして取り付け、該メッセンジャーワイヤを固定金具内に遊通させ、前記螺旋状支持具と固定金具とを仮留めし、該固定金具とケーブル牽引用ロープとを接続し、且つ該ケーブル牽引用ロープの一方が前記螺旋状支持具の螺旋内に入るようにして、それら全てを他方の電柱側に移送する第１の工程と、
前記螺旋状支持具の他端とこれに連接する螺旋状支持具の一端とを二股状係合突起付コネクタにて連結を繰り返す第２の工程と、
１本目の螺旋状支持具と固定金具とケーブル牽引用ロープとが他方の電柱側に到達した時点でメッセンジャーワイヤと螺旋状支持具とを固定金具に固定し、既に螺旋状支持具の螺旋内に入っているケーブル牽引用ロープの後端にケーブルを連結して該ケーブルを引き込む第３の工程と、
を有することに特徴を有するので、特許第３２０３５５６号公報に記載の方法で使用していた引き紐通し具を用いる必要がなく、作業の効率化が図られコスト安な施工方法である。また、施工作業が電柱側だけで行うことができるので、作業者の安全を図ることができる。
【００３５】
請求項２の発明は、電柱間に張設したメッセンジャーワイヤに螺旋状支持具を使用してケーブルを吊下げるための施工方法において、
一方の電柱付近でメッセンジャーワイヤに螺旋状支持具を、該螺旋状支持具の螺旋内に前記メッセンジャーワイヤが入るようにして取り付け、該メッセンジャーワイヤを固定金具内に遊通させ、前記螺旋状支持具と固定金具とを仮留めし、該固定金具とケーブルとを接続し、且つ該ケーブルが前記螺旋状支持具の螺旋内に入るようにして、それら全てを他方の電柱側に移送する第１の工程と、
前記螺旋状支持具の他端とこれに連接する螺旋状支持具の一端とを二股状係合突起付コネクタにて連結を繰り返す第２の工程と、
１本目の螺旋状支持具と固定金具とケーブルとが他方の電柱側に到達した時点でメッセンジャーワイヤと螺旋状支持具とを固定金具に固定する第３の工程と、
を有することに特徴を有するので、特にケーブル牽引用ロープの吊り下げ施工の必要はないので、請求項１の発明よりもさらに、作業を簡略化させることができ、コスト安な施工方法である。
【００３６】
請求項３の発明は、電柱間に張設したメッセンジャーワイヤに螺旋状支持具を使用してケーブルを吊下げるための施工方法において使用する固定金具であって、
該固定金具は、前板と中間板と後板とからなる挟持板と、該挟持板の上部及び下部に穿孔されたボルト貫通孔と、該ボルト貫通孔に前記挟持板の前板側から挿入されるボルトと、該ボルトに前記挟持板の後板側から螺合するナットとからなり、前記挟持板の前板と中間板との上部側には前記メッセンジャーワイヤを遊通挟持する凹部が、後板には中間板と前記螺旋状支持具を挟持する凹部が形成されていることに特徴を有するので、固定金具がメッセンジャーワイヤ上を移動することができ、螺旋状支持具とメッセンジャーワイヤの固定を確実に行うことができる。また、メッセンジャーワイヤに取付けた固定金具の重心がメッセンジャーワイヤを挟持する凹部よりも下側に位置するので、固定金具の回転することを防ぐこともできる。
【００３７】
請求項４の発明は、電柱間に張設したメッセンジャーワイヤに螺旋状支持具を使用してケーブルを吊下げるための施工方法において使用する固定金具であって、
該固定金具は、Ｕ字状の挟持板と、該挟持板の両端部に穿孔されたボルト貫通孔と、該ボルト貫通孔の一方側から挿入されるボルトと、該ボルトに前記挟持板の他方側から螺合するナットとからなり、前記挟持板の一方側には前記メッセンジャーワイヤを挟持する凹部と突起とが形成され、他方側には前記螺旋状支持具を挟持する凹部と突起とが形成されていることに特徴を有するので、凹部と突起とで確実にメッセンジャーワイヤと螺旋状支持具とを固定することができる。
【００３８】
請求項５の発明は、電柱間に張設したメッセンジャーワイヤに螺旋状支持具を使用してケーブルを吊下げるための施工方法において使用する固定金具であって、
該固定金具は、Ｕ字状の挟持板と、該挟持板の４箇所に穿孔されたＵ字ボルト貫通孔と、該Ｕ字ボルト貫通孔の一方側から挿入されるボルトと、該Ｕ字ボルトに前記挟持板の他方側から螺合するナットとからな、前記メッセンジャーワイヤを遊通、挟持及び前記螺旋状支持具を挟持することに特徴を有するので、固定金具がメッセンジャーワイヤ上を移動することができ、メッセンジャーワイヤと螺旋状支持具とを固定することができると共に、製作も容易なことからコスト高になることもない固定金具を提供することができる。
【図面の簡単な説明】
【図１】本発明に係るケーブル吊架施工方法の説明図である。
【図２】本発明に係るケーブル吊架施工方法の説明図である。
【図３】本発明に係るケーブル吊架施工方法の説明図である。
【図４】本発明に係るケーブル吊架施工方法の説明図である。
【図５】本発明に係るケーブル吊架施工方法の説明図である。
【図６】本発明で使用する固定金具の断面を示す説明図である。
【図７】本発明で使用する固定金具の他例を示す説明図である。
【図８】本発明で使用する固定金具の他例を示す説明図である。
【図９】本発明で使用する固定金具の使用方法を示す説明図である。
【図１０】本発明で使用する螺旋状支持具を示す説明図である。
【図１１】螺旋状支持具のコネクタ部分を示す説明図である。
【符号の説明】
１　螺旋状支持具
２　コネクタ
７　メッセンジャーワイヤ
８，８ｃ，８ｄ，８ｅ　固定金具
９　専用治具
１０ａ，１０ｂ　ケーブル牽引用ロープ
１１ａ，１１ｂ　金車
１２　通信ケーブル
【図１】
2004032835.tif 000003
【図２】
2004032835.tif 000004
【図３】
2004032835.tif 000005
【図４】
2004032835.tif 000006
【図５】
2004032835.tif 000007
【図６】
2004032835.tif 000008
【図７】
2004032835.tif 000009
【図８】
2004032835.tif 000010
【図９】
2004032835.tif 000011
【図１０】
2004032835.tif 000012
【図１１】
2004032835.tif 000013